(57)【要約】【課題】マスク本体を容易に把持することが出来ると共に、マスク本体を装着する際、強い力で顔面に圧着することが出来、更に傷病人の気道確保を容易に行うことが出来、更に傷病人の病状状態をマスク本体の外部、特に中央側面からでも容易に観察することが出来る人工呼吸用マスクを提供する。【解決手段】前記膨出した中央部材３を、鼻骨部分Ｎｂを覆う部位３ｘを頂点として略三角形状に形成すると共に、中央部材３の少なくとも一側面側に、前記給排気用ホース接続口４を横向きとなるように形成してある。膨出した中央部材３は、透明な樹脂材料で構成すると共に、特に中央部材３の中央部分は、外部から傷病人Ｘの鼻先Ｎａ近傍及び鼻骨部Ｎｂ近傍を容易に観察出来るように拡大レンズ構造に構成してある。これにより、マスク本体１の装着時における傷病人Ｘの状況を十分に観察し、かつ確認することが出来る。【選択図】  図１
2005021447.tif 000002
【特許請求の範囲】
【請求項１】
鼻先部及び鼻骨近傍と、両頬部及び口との周囲を気密的に覆うように断面略ドーム状に形成された給排気用ホース接続口を備えた人工呼吸用マスクであって、
マスク本体を、顔面の凹凸面に対して追従した状態で当接する伸縮可撓性材料から成るベース部材と、鼻の近傍を外部から透視出来る材料で構成された膨出した中央部材とで構成し、前記中央部材を、鼻骨部分を覆う部位を頂点として略三角形状に形成すると共に、中央部材の少なくとも一側面側に、前記給排気用ホース接続口を横向きに形成したことを特徴とする人工呼吸用マスク。
【請求項２】
前記膨出した中央部材を、拡大レンズ構造に構成した請求項１に記載の人工呼吸用マスク。
【発明の詳細な説明】
【０００１】
【発明の属する技術分野】
この発明は、特に医療用として使用される人工呼吸用マスクに係わり、更に詳しくはマスクを把持して装着する際、傷病人の気道確保を容易に行うことが出来ると共に、傷病人の病状状態をマスク本体の外部から容易に観察することが出来る人工呼吸用マスクに関するものである。
【０００２】
【従来の技術】
従来、病気や事故等により呼吸が停止した傷病人に対して、呼吸の補助を行うための人工呼吸用マスクが数多く提案されている。一般の人工呼吸用マスクは、鼻先近傍及び鼻骨近傍と、両頬部及び口との周囲を気密的に覆うように断面略ドーム状（または断面略楕円状）に形成されており、このマスク中央の略上面には、ポンプのホースと接続させる給排気用ホース接続口が設けられている（特許文献１参照）。
【０００３】
【特許文献１】
特開平８−５７０５４号公報（第２〜第４頁、図１）
【０００４】
【発明が解決しようとする課題】
然しながら、給排気用ホース接続口がマスク中央の略上面に設けられていると、マスクを傷病人に装着して送気する際、傷病人の嘔吐や病状等を目視により観察しずらいと言う問題があった。
【０００５】
また、この点を改善するために、ホース接続口をマスクのサイド部に設けたマスクも提案されているが、従来のマスクは上部面積が大きく、傷病人に対してマスクを圧着しながら気道を確保するのが難しいと言う問題があった。
【０００６】
この発明はかかる従来の問題点に着目し、マスク本体を容易に把持することが出来ると共に、マスク本体を装着する際、強い力で顔面に圧着することが出来、更に傷病人の気道確保を容易に行うことが出来、更に傷病人の病状状態をマスク本体の外部、特に中央側面からでも容易に観察することが出来る人工呼吸用マスクを提供することを目的とするものである。
【０００７】
【課題を解決するための手段】
この発明は上記目的を達成するため、鼻先部及び鼻骨近傍と、両頬部及び口との周囲を気密的に覆うように断面略ドーム状に形成された給排気用ホース接続口を備えた人工呼吸用マスクであって、マスク本体を、顔面の凹凸面に対して追従した状態で当接する伸縮可撓性材料から成るベース部材と、鼻の近傍を外部から透視出来る材料で構成された膨出した中央部材とで構成し、前記中央部材を、鼻骨部分を覆う部位を頂点として略三角形状に形成すると共に、中央部材の少なくとも一側面側に、前記給排気用ホース接続口を横向きに形成したことを要旨とするものである。
【０００８】
ここで、前記膨出した中央部材を、拡大レンズ構造に構成することも可能である。
このように、マスク本体を、顔面の凹凸面に対して追従した状態で当接する伸縮可撓性材料から成るベース部材と、鼻の近傍を外部から透視出来る材料で構成された膨出した中央部材とで構成し、前記中央部材を、鼻骨部分を覆う部位を頂点として略三角形状に形成すると共に、中央部材の少なくとも一側面側に、前記給排気用ホース接続口を横向きに形成したことにより、マスク本体を容易に把持することが出来ると共に、マスク本体を装着する際、強い力で顔面に圧着することが出来、更に傷病人の気道確保を容易に行うことが出来、更に傷病人の病状状態をマスク本体の外部、特に中央側面からでも容易に観察することが出来ることになる。
【０００９】
【発明の実施の形態】
以下、添付図面に基づき、この発明の実施形態を説明する。
図１は、この発明を実施した人工呼吸用マスクを傷病人Ｘに対して装着した状態の側面図、図２はマスク本体の上面側から見た斜視図、図３はマスク本体の底面側から見た斜視図を示し、前記マスク本体１は、傷病人Ｘの鼻先Ｎａ近傍及び鼻骨部Ｎｂ近傍と、両頬部Ｆ及び口Ｍとの周囲を気密的に覆うように断面略ドーム状に形成されている。
【００１０】
前記マスク本体１は、顔面の凹凸面に対して追従した状態で当接する伸縮可撓性材料（例えば、シリコン系材料，熱可塑性エラストマー等）から成るベース部材２と、鼻先Ｎａ近傍を外部から透視出来る材料（樹脂系の材料）で構成された膨出した中央部材３とで構成され、この膨出した中央部材３の一側面には、給排気用ホース接続口４が設けられている。なお、ベース部材２は、必ずしも透視出来る材料には限定されるものではない。
【００１１】
前記ベース部材２は、図４及び図５に示すように、ベース部材２の開口周面部Ｚを、鼻骨部Ｎｂ及びその周囲に当接する略三角形状に形成された凹凸状の上部当接領域Ｚ１と、左右頬部Ｆの凹凸形状に追従して当接する側部当接領域Ｚ２と、口Ｍの下部近傍の形状に追従して当接する下部当接領域Ｚ３とを連続的に形成してある。
【００１２】
この発明の実施形態では、図４〜図８に示すように、前記上部当接領域Ｚ１の眼近傍におけるベース部材２ａの肉厚ｔと高さｈとの比率を１．５倍以上、３．０倍以下に設定してある。
【００１３】
即ち、一般の成人の場合、眼近傍におけるベース部材２ａの肉厚ｔは、約１３ｍｍ以下で、高さは２０ｍｍ以上、好ましくは３０ｍｍ〜４０ｍｍであり、また一般の幼児の場合、肉厚ｔは、約８ｍｍ以下で、高さは１２ｍｍ以上である。
【００１４】
上記、上部当接領域Ｚ１の眼近傍におけるベース部材２ａの肉厚ｔと高さｈとの比率を１．５倍以上、３．０倍以下に設定することで、傷病人Ｘに対するマスク本体１の鉛直方向の圧着だけではなく、ベース部材２ａの曲げ方向の弾性反発力を利用した空気漏れの低減が可能となる。
【００１５】
なお、ベース部材２ａの肉厚ｔと高さｈとの比率が１．５倍未満であるマスクでは、空気洩れを無くそうとすると肉厚を厚くせざるを得ず、眼部を圧迫することになる。また、３．０倍を超えると、眼部圧迫を考慮した場合、曲げ方向の剛性が不足し、空気洩れを充分に防ぐことが出来なくなる。
【００１６】
また、上記のベース部材２ａの肉厚ｔの寸法は、極力小さくし、また高さｈをベース部材２ａの剛性に従って反力を調整するように設計するのが望ましい。一般の成人の場合、眼近傍におけるベース部材２ａの肉厚ｔは、約１３ｍｍ以下で、高さは２０ｍｍ以上、好ましくは３０ｍｍ〜４０ｍｍであれば、空気洩れの低減を期待することが出来る。
【００１７】
なお、マスク本体１のベース部材２は、この実施形態では、上述したようにＪＩＳＡ硬度５以下の伸縮可撓性材料で中実に形成してあるが、これに限定されず、ＪＩＳＡ硬度２０〜７０のゴム材料により袋状に形成することも可能である。その場合、ＪＩＳＡ硬度５〜７０前後のゴム材料を適用し、上記の寸法を適用することにより空気漏れの低減を期待することが出来る。
【００１８】
このように構成することで、顔面の凹凸面に密着して空気漏れを少なく出来、また眼部を圧迫することなく保護した状態で装着することが出来る。
【００１９】
また、この発明の他の実施形態では、前記下部当接領域Ｚ３を、顎Ｃ（オトガイ）及び下顎Ｃ１（オトガイ頭側）の凹凸形状に追従して当接するする凹部状５に形成してある。即ち、下部当接領域Ｚ３に形成する凹部状５の形状は、顎Ｃ及び下顎Ｃ１頭部側の窪んだ歯根部Ｃ２の凹凸形状に対応し、かつ中央部材側に向かって凹状に形成してある。
【００２０】
更に、ベース部材２の下部当接領域Ｚ３の両側部２ｂは、顎Ｃ（オトガイ）及び下顎Ｃ１（オトガイ頭側）の起伏形状を反転させた形状となっており、一般の成人男性の平均では、半径７５ｍｍ〜９０ｍｍ前後、乳幼児の場合の平均は、半径２０ｍｍ〜４０ｍｍ前後であることから、略半径を１５ｍｍ〜１００ｍｍの範囲でベース部材２を構成することが好ましい。
【００２１】
更に、図９及び図１０に示すように、顎Ｃ（オトガイ）及び下顎Ｃ１（オトガイ頭側）の窪んだ歯根部Ｃ２の並びは、腹側に半円弧状に凸の形状をしているため、この半円弧状の凸部分に当接する部分も、これに対応した形状になっており、一般の成人男性の平均では、半径３０ｍｍ〜６０ｍｍ前後、乳幼児の場合の平均は、半径１０ｍｍ〜３５ｍｍ前後であることから、略半径を５ｍｍ〜８０ｍｍの範囲でベース部材２を構成することが好ましい。
【００２２】
このように構成することで、顔面の凹凸面に密着して空気漏れを少なく出来、また傷病人の気道確保を容易にすることが出来る。
【００２３】
更に、この発明では、第１実施形態と第２実施形態とを組合せたマスク本体１の構成とすることで、顔面の凹凸面に密着して空気漏れを少なく出来、また眼部を圧迫することなく保護した状態で装着することが出来、更に気道確保を容易にすることが出来るものである。
【００２４】
また、この発明の実施形態では、図５に示すように、前記膨出した中央部材３を、鼻骨部分Ｎｂを覆う部位３ｘを頂点として略三角形状に形成すると共に、中央部材３の少なくとも一側面側（両側面でも可能）に、前記給排気用ホース接続口４を横向きとなるように形成してある。
【００２５】
また、前記膨出した中央部材３は、透明な樹脂材料で構成すると共に、特に中央部材３の中央部分は、外部から傷病人Ｘの鼻先Ｎａ近傍及び鼻骨部Ｎｂ近傍を容易に観察出来るように拡大レンズ構造に構成してある。
【００２６】
即ち、この実施形態のように、鼻骨部分Ｎｂを覆う部位３ｘを頂点として略三角形状に形成することで、透視部分が狭い形状であっても、拡大レンズ構造にすることで、マスク本体１の装着時における傷病人Ｘの状況を十分に観察し、かつ確認することが出来る。
【００２７】
このように、膨出した中央部材３を、鼻骨部分Ｎｂを覆う部位３ｘを頂点として略三角形状に形成することで眼部を圧迫することなく保護することが出来、またマスク本体１が握り易くなり、マスク本体１を装着する際、傷病人Ｘの気道確保を容易に行うことが出来る。
【００２８】
即ち、この実施形態では、強い力でマスク本体１と顔面とを圧着させることが出来る握り方と、患者顔面の観察とを両立させるために、操作者の母指球、小指球を乗せるマスク本体１の上面とインターフエースの間から、患者の顔面が観察出来るように側面に十分な高さを有する構造にしてある。患者顔面を正面から観察した場合には、マスク本体１と顔面とを圧着させるのに力を加えにくい圧着運動（マスク本体１の周辺部にかかった親指と下顎にかかった小指とを近づける運動）をせざるを得ないが、この発明の実施形態では、上記のように周辺部に指のかけられる場所を十分に配置した形状としたものである。
【００２９】
更に、上述したように中央部材３の中央部分を拡大レンズ構造にすることで、外部から傷病人Ｘの鼻先Ｎａ近傍及び鼻骨部Ｎｂ近傍を容易に観察出来、傷病人Ｘの酸素供給状態をマスク本体１を十分に把持した状態で、中央及び中央側面からでも十分に観察し、かつ確認することが出来る。
【００３０】
【発明の効果】
この発明は、上記のように鼻先部及び鼻骨近傍と、両頬部及び口との周囲を気密的に覆うように断面略ドーム状に形成された給排気用ホース接続口を備えた人工呼吸用マスクであって、マスク本体を、顔面の凹凸面に対して追従した状態で当接する伸縮可撓性材料から成るベース部材と、鼻の近傍を外部から透視出来る材料で構成された膨出した中央部材とで構成し、前記中央部材を、鼻骨部分を覆う部位を頂点として略三角形状に形成すると共に、中央部材の少なくとも一側面側に、前記給排気用ホース接続口を横向きに形成し、特に中央部材の中央部分を拡大レンズ構造にしたので、マスク本体の把持を容易に行うことが出来ると共に、マスク本体を患者の顔面に圧着する際にも強い力で圧着することが出来、更に傷病人の気道確保を容易に行うことが出来、また中央部材の側面は、十分な高さを有するので、傷病人の病状状態をマスク本体の外部、特に中央及び中央側面からでも容易に観察することが出来る効果がある。
【図面の簡単な説明】
【図１】この発明を実施した人工呼吸用マスクを傷病人に対して装着した状態の側面図である。
【図２】マスク本体の上面側から見た斜視図である。
【図３】マスク本体の底面側から見た斜視図である。
【図４】マスク本体の底面図である。
【図５】マスク本体の平面図である。
【図６】マスク本体のベース部材の上部当接領域Ｚ１から見た側面図である。
【図７】マスク本体のベース部材の下部当接領域Ｚ３から見た側面図である。
【図８】マスク本体のベース部材の側部当接領域Ｚ２から見た側面図である。
【図９】図５のＡ−Ａ矢視断面図である。
【図１０】図５のＢ−Ｂ矢視断面図である。
【符号の説明】
１  マスク本体                ２  ベース部材
２ａ〜２ｃ  ベース部材
３  中央部材                  ４  給排気用ホース接続口
５  凹部状                    Ｘ  傷病人
Ｎａ  鼻先                    Ｎｂ  鼻骨部
Ｆ  両頬部                    Ｍ  口
Ｚ１  上部当接領域            Ｚ２  側部当接領域
Ｚ３  下部当接領域              Ｃ  顎
Ｃ１  下顎                    Ｃ２  歯根部
【図１】
2005021447.tif 000003
【図２】
2005021447.tif 000004
【図３】
2005021447.tif 000005
【図４】
2005021447.tif 000006
【図５】
2005021447.tif 000007
【図６】
2005021447.tif 000008
【図７】
2005021447.tif 000009
【図８】
2005021447.tif 000010
【図９】
2005021447.tif 000011
【図１０】
2005021447.tif 000012